(57)【要約】    【課題】ステージで遊技球を左右方向に振り分けて遊技盤の前側に落下させる際の間持ちを良くして、遊技者の興趣をより喚起できるようにする。    【解決手段】遊技盤１２の遊技領域１５に特別図柄始動手段２０と、この特別図柄始動手段２０の上方に配置され且つ球案内通路３８からの遊技球を左右方向に振り分けて遊技盤１２の前側に落下させるステージ３４とを備えている。ステージ３４は枢軸４１廻りに揺動自在に支持され且つ球案内通路３８からの遊技球を受け入れて転動させる揺動体４２と、この揺動体４２を枢軸４１廻りに駆動して往復揺動させる駆動手段５１とを備えている。揺動体４２はこの揺動体４２内の遊技球を特別図柄始動手段２０に入球し易い位置に排出する第１排出口３９と、特別図柄始動手段２０に入球し難い位置に排出する第２排出口４０とを備えている。【選択図】  図２
2012040346.tif 000002
【特許請求の範囲】
【請求項１】
遊技盤の遊技領域に入球手段と、該入球手段の上方に配置され且つ球案内通路からの遊技球を左右方向に振り分けて前記遊技盤の前側に落下させるステージとを備えた弾球遊技機において、前記ステージは枢軸廻りに揺動自在に支持され且つ前記球案内通路からの遊技球を受け入れて転動させる揺動体と、該揺動体を前記枢軸廻りに駆動して往復揺動させる駆動手段とを備え、前記揺動体に、該揺動体内の遊技球を前記入球手段に入球し易い位置に排出する第１排出口と前記入球手段に入球し難い位置に排出する第２排出口とを備えたことを特徴する弾球遊技機。
【請求項２】
前記揺動体は該揺動体内の遊技球を視認可能であることを特徴とする請求項１に記載の弾球遊技機。
【請求項３】
前記揺動体の下側に、前記第１排出口からの遊技球を前記入球手段に入球し易い位置に落下させる第１落下部と、前記第２排出口からの遊技球を前記入球手段に入球し難い位置に落下させる第２落下部とを設けたことを特徴とする請求項１又は２に記載の弾球遊技機。
【請求項４】
前記揺動体は中央側が凹入する底壁部と該底壁部を取り囲む周壁部とを有し且つ上側が開放する皿状であり、該揺動体の左右方向の一端側に前記球案内通路を配置したことを特徴とする請求項１〜３の何れかに記載の弾球遊技機。
【請求項５】
前記揺動体は左右方向に長い皿状であり、前記球案内通路と反対側の前記周壁部に、該周壁部の前側に沿って左右方向の一方側へと移動する遊技球を前記排出口の後側へと案内する湾曲部を備えたことを特徴とする請求項４に記載の弾球遊技機。
【請求項６】
前記揺動体の前後方向の中央に前記枢軸を左右方向に配置し、該枢軸よりも前側に前記球案内通路を配置し、前記周壁部の前記球案内通路と反対側で前記枢軸よりも前側に前記湾曲部を配置したことを特徴とする請求項５に記載の弾球遊技機。
【請求項７】
前記底壁部の略中央に左右及び前後両側よりも遊技球が転動し難い障害部を備え、該障害部に前記第１排出口を、該障害部の左右両側に前記第２排出口を夫々配置したことを特徴とする請求項１〜６の何れかに記載の弾球遊技機。
【請求項８】
前記障害部は前記底壁部の略中央に左右及び前後両側よりも上側に膨隆する膨隆部であり、該膨隆部に前記第１落下部の前後両側に、該第１落下部へと遊技球を案内する案内溝を設けたことを特徴とする請求項７に記載の弾球遊技機。
【請求項９】
前記遊技盤の前面に装着された前構造体と、該前構造体の表示窓に対応して装着された画像表示手段とを有する中央役物を備え、前記画像表示手段の前下側で前記前構造体に前記ステージを設けたことを特徴とする請求項１〜８の何れかに記載の弾球遊技機。
【発明の詳細な説明】
【技術分野】
【０００１】
本発明は、パチンコ機、アレンジボール機等の弾球遊技機に関するものである。
【背景技術】
【０００２】
例えばパチンコ機には、遊技盤の遊技領域の略中央に配置された中央役物に、演出画像を表示する液晶式等の画像表示手段と、画像表示手段の前側に配置され且つ遊技球を適宜左右方向に振り分けながら遊技盤の前側へと落下させるステージとを備え、中央役物の下方に特別図柄始動手段を配置したものがある。
【０００３】
ステージには、従来、左右方向に波状又は凹凸状に形成された固定転動部を備えた固定式の他に、固定転動部と可動体とを組み合わせた可動式のものがある。可動式のステージには、左右方向に波状に形成された転動部を前後方向に階段状に備え、その前後方向の中間の転動部を左右方向に往復移動させるようにした往復移動式（特許文献１）、固定転動部の左右中央に形成された隆起部に、１本の縦軸廻りに回転する回転体を配置した１軸回転式（特許文献２）、隆起部に略同心状に配置された内外２個の回転体を備え、この各回転体を同心状の内外２本の縦軸により駆動するようにした２軸回転式（特許文献３）等がある。
【先行技術文献】
【特許文献】
【０００４】
【特許文献１】特開２００２−３６９９１９号公報
【特許文献２】特開２００５−３３４５０２号公報
【特許文献３】特開２０１０−４６４２６号公報
【発明の概要】
【発明が解決しようとする課題】
【０００５】
可動式のステージは、転動部上の遊技球が可動体と接触することにより、遊技球の挙動を積極的に不規則に変化させるため、遊技球の挙動に対する遊技者の興趣を固定式のステージに比較して著しく喚起できる利点がある。
【０００６】
しかし、従来の可動式ステージは、可動転動部が左右に往復移動したり、回転体が縦軸廻りに回転して、ステージの上面側で遊技球の挙動を変化させる構成であって、遊技球が比較的短時間でステージを通過する構造であるため、間持ちが悪く遊技者の注意を十分に惹きつけ得ない欠点がある。
【０００７】
本発明は、このような従来の問題点に鑑み、ステージで遊技球を左右方向に振り分けて遊技盤の前側に落下させる際の間持ちを良くして、遊技者の興趣をより喚起できるステージを備えた弾球遊技機を提供することを目的とする。
【課題を解決するための手段】
【０００８】
本発明は、遊技盤の遊技領域に入球手段と、該入球手段の上方に配置され且つ球案内通路からの遊技球を左右方向に振り分けて前記遊技盤の前側に落下させるステージとを備えた弾球遊技機において、前記ステージは枢軸廻りに揺動自在に支持され且つ前記球案内通路からの遊技球を受け入れて転動させる揺動体と、該揺動体を前記枢軸廻りに駆動して往復揺動させる駆動手段とを備え、前記揺動体に、該揺動体内の遊技球を前記入球手段に入球し易い位置に排出する第１排出口と前記入球手段に入球し難い位置に排出する第２排出口とを備えたものである。
【０００９】
前記揺動体は該揺動体内の遊技球を視認可能であってもよい。前記揺動体の下側に、前記第１排出口からの遊技球を前記入球手段に入球し易い位置に落下させる第１落下部と、前記第２排出口からの遊技球を前記入球手段に入球し難い位置に落下させる第２落下部とを設けてもよい。
【００１０】
前記揺動体は中央側が凹入する底壁部と該底壁部を取り囲む周壁部とを有し且つ上側が開放する皿状であり、該揺動体の左右方向の一端側に前記球案内通路を配置してもよい。前記揺動体は左右方向に長い皿状であり、前記球案内通路と反対側の前記周壁部に、該周壁部の前側に沿って左右方向の一方側へと移動する遊技球を前記排出口の後側へと案内する湾曲部を備えてもよい。
【００１１】
前記揺動体の前後方向の中央に前記枢軸を左右方向に配置し、該枢軸よりも前側に前記球案内通路を配置し、前記周壁部の前記球案内通路と反対側で前記枢軸よりも前側に前記湾曲部を配置したてもよい。前記底壁部の略中央に左右及び前後両側よりも遊技球が転動し難い障害部を備え、該障害部に前記第１排出口を、該障害部の左右両側に前記第２排出口を夫々配置してもよい。
【００１２】
前記障害部は前記底壁部の略中央に左右及び前後両側よりも上側に膨隆する膨隆部であり、該膨隆部に前記第１落下部の前後両側に、該第１落下部へと遊技球を案内する案内溝を設けてもよい。前記遊技盤の前面に装着された前構造体と、該前構造体の表示窓に対応して装着された画像表示手段とを有する中央役物を備え、前記画像表示手段の前下側で前記前構造体に前記ステージを設けてもよい。
【発明の効果】
【００１３】
本発明によれば、ステージで遊技球を左右方向に振り分けて遊技盤の前側に落下させる際の間持ちを良くして、遊技者の興趣をより喚起できる利点がある。
【図面の簡単な説明】
【００１４】
【図１】本発明の第１の実施形態を示すパチンコ機の正面図である。
【図２】同ステージの斜視図である。
【図３】同ステージの正面断面図である。
【図４】同ステージの平面断面図である。
【図５】同ステージの中央の側面断面図である。
【図６】同ステージの中央よりも左寄り部分の側面断面図である。
【図７】同揺動体及び駆動手段の分解斜視図である。
【図８】同動作説明図である。
【図９】同動作説明図である。
【図１０】本発明の第２の実施形態を示すステージの側面断面図である。
【図１１】同ステージの平面断面図である。
【図１２】本発明の第３の実施形態を示すステージの平面図である。
【図１３】同ステージの側面断面図である。
【図１４】本発明の第４の実施形態を示すステージの側面断面図である。
【図１５】同ステージの正面断面図である。
【図１６】本発明の第５の実施形態を示すステージの正面断面図である。
【図１７】同ステージの側面断面図である。
【図１８】本発明の第６の実施形態を示すステージの側面断面図である。
【図１９】同ステージの平面断面図である。
【図２０】本発明の第７の実施形態を示すステージの正面断面図である。
【図２１】本発明の第８の実施形態を示すステージの平面断面図である。
【発明を実施するための形態】
【００１５】
以下、本発明の第１の実施形態を図面に基づいて詳述する。図１〜図９は本発明をパチンコ機に採用した第１の実施形態を例示する。パチンコ機は、図１に示すように、矩形状の外枠１と、この外枠１の前側に上下一対のヒンジ２により縦軸廻りに開閉自在に枢着された前枠３とを備えている。前枠３の前側にはガラス扉４と前面板５とが上下に配置され、前枠３に対してヒンジ２と同じ側の上下一対のヒンジ６により縦軸廻りに開閉自在に枢支されている。
【００１６】
前面板５の前側には発射用の遊技球を貯留する球供給皿７が配置され、その側方に遊技球を発射する発射手段の発射ハンドル８が設けられている。ガラス扉４はその透視窓１０を塞ぐ前後２枚のガラス板１１（図４〜図６参照）を有し、このガラス扉４の裏側に、ガラス扉４に対応するように前枠３に遊技盤１２が着脱自在に装着されている。
【００１７】
遊技盤１２の前面には、発射手段から発射された遊技球を誘導するガイドレール１３と、略円弧状の内周面を有する外周飾り部材１４とが周方向に装着され、そのガイドレール１３と外周飾り部材１４との内側が略円形状の遊技領域１５となっている。ガイドレール１３は内レール１３ａと外レール１３ｂとを有し、その内レール１３ａと外レール１３ｂの一部と外周飾り部材１４の内周面とにより遊技領域１５が画成されている。
【００１８】
遊技領域１５には中央役物１８、普通図柄始動手段１９、第１特別図柄始動手段２０、第２特別図柄始動手段２１、大当たり用の開閉入賞手段２２、普通入賞手段２３、普通図柄表示手段２４、第１特別図柄表示手段２５、第２特別図柄表示手段２６、装飾体等の各種の遊技部品が配置されている。
【００１９】
中央役物１８は遊技領域１５の左右方向の略中央に配置されており、この中央役物１８の上端側の左右中央より左側が左打ち通路２８となり、右側が右打ち通路２９となっている。従って、遊技領域１５の上部に打ち込まれた遊技球は、左打ち通路２８、右打ち通路２９の何れかの流下通路を経て順次流下する。
【００２０】
中央役物１８は図４〜図６にも示すように、遊技盤１２の前側に装着された前構造体３２Ａと、遊技盤１２の裏側に装着された裏構造体３２Ｂと、前構造体３２Ａの表示窓３２ａに対応して遊技盤１２の裏側で裏構造体３２Ｂに装着された液晶式その他の画像表示手段３３と、画像表示手段３３の前下側で前構造体３２Ａに装着されたステージ３４とを有する。
【００２１】
中央役物１８の下側の左右略中央には、この中央役物１８と最下部のアウト球口３５との間に第１特別図柄始動手段２０と第２特別図柄始動手段２１とが上下方向に配置されている。そして、中央役物１８の左下側には左打ち通路２８を置いて複数個の普通入賞手段２３が配置され、また右下側には普通図柄始動手段１９、開閉入賞手段２２、普通入賞手段２３等が配置されている。
【００２２】
前構造体３２Ａは遊技盤１２の前側で左打ち通路２８側に開口する球誘導口３６と、この球誘導口３６からの遊技球をステージ３４へと案内する球案内通路３８とを有し、ステージ３４上に遊技球を供給するようになっている。ステージ３４は図２〜図７に示すように、第１排出口３９と第２排出口４０とを有し且つ枢軸４１廻りに揺動自在に支持された皿状の揺動体４２を備え、球案内通路３８から受け入れた遊技球を揺動体４２の往復揺動により、第１排出口３９、第２排出口４０の何れかに振り分けた後、第１落下部４３、第２落下部４４を経て遊技盤１２の前側へと落下させるようになっている。前構造体３２Ａには前面等の適当箇所に普通図柄表示手段２４、第１特別図柄表示手段２５、第２特別図柄表示手段２６が装着されている。
【００２３】
普通図柄表示手段２４は普通図柄を変動表示するためのもので、複数種類の普通図柄（例えば２種類の「○」「×」）に対応する複数個の発光素子により構成されており、普通図柄始動手段１９が遊技球を検出することを条件に２個の発光素子が交互に点灯するように所定時間点滅して、普通図柄始動手段１９の遊技球の検出時に抽選した乱数値が予め定められた当たり判定値と一致した場合に当たり態様の「○」側の発光素子が点灯し、それ以外の場合に外れ態様の「×」側の発光素子が点灯して停止する。なお、変動後の普通図柄は１／１０程度の所定の確率で当たり態様となる。
【００２４】
第１特別図柄表示手段２５、第２特別図柄表示手段２６は発光部位の変化等で第１特別図柄、第２特別図柄を変動表示可能なセグメント式等の表示手段により構成されており、第１特別図柄表示手段２５は第１特別図柄始動手段２０が、第２特別図柄表示手段２６は第２特別図柄始動手段２１が夫々遊技球を検出することを条件に、第１特別図柄、第２特別図柄が所定時間変動して、第１特別図柄始動手段２０、第２特別図柄始動手段２１の遊技球の検出時に抽選された乱数値が予め定められた大当たり判定値と一致した場合に所定の大当たり態様で、それ以外の場合に外れ態様で停止するようになっている。
【００２５】
なお、変動後の第１特別図柄、第２特別図柄は、通常確率状態中は１／３５０等の通常確率で大当たり態様となり、大当たり状態終了後の高確率状態中は１／３５等の高確率で大当たり態様となる。大当たり状態中の場合には第１特別図柄、第２特別図柄は何れも変動しないし、一方が変動中の場合には他方は変動しない。また各特別図柄の始動検出は所定の上限数（例えば４）まで保留可能であり、両方に１以上の保留がある場合には、第２特別図柄表示手段２６の図柄変動が優先する。更に高確率状態中は第１特別図柄、第２特別図柄の変動時間も短縮される。
【００２６】
画像表示手段３３は第１特別図柄表示手段２５、第２特別図柄表示手段２６に対応する演出図柄表示手段４６を構成するもので、第１特別図柄、第２特別図柄の変動時にその図柄変動に同期して変動する１個又は複数個、例えば３個の演出図柄４６ａ〜４６ｃを変動表示する。演出図柄４６ａ〜４６ｃは第１特別図柄始動手段２０、第２特別図柄始動手段２１の遊技球の検出を条件に、抽選により決定された所定の演出図柄変動パターンを経て所定時間変動した後、第１特別図柄、第２特別図柄の変動終了に同期して所定の順序で順次停止する。なお、演出図柄表示手段４６は第１特別図柄表示手段２５、第２特別図柄表示手段２６に対応して別々に設けてもよい。
【００２７】
演出図柄４６ａ〜４６ｃの変動後の停止図柄は、第１特別図柄、第２特別図柄が大当たり態様で停止する場合には全てが揃う大当たり演出態様となり、第１特別図柄、第２特別図柄が外れ態様で停止する場合には少なくとも一部が異なる外れ演出態様となる。
【００２８】
例えば、演出図柄４６ａ〜４６ｃには０〜９までの数字図柄が使用されており、特別図柄が大当たり態様で停止する場合には演出図柄４６ａ〜４６ｃは「７・７・７」等の大当たり演出態様で停止し、特別図柄が外れ態様で停止する場合には演出図柄４６ａ〜４６ｃは「２・４・５」等の外れ演出態様で停止する。
【００２９】
第１特別図柄始動手段２０は非開閉式であって、画像表示手段３３の下側に配置されており、この第１特別図柄始動手段２０は右打ち通路２９に比較して左打ち通路２８を経て落下する遊技球が入賞し易くなっている。
【００３０】
第２特別図柄始動手段２１は開閉式であって、左右一対の開閉部材２１ａを備えた電動チューリップ式入賞手段等により構成され、普通図柄表示手段２４の変動後の普通図柄が当たり態様で停止した場合に所定の開放パターンで開放するようになっている。
【００３１】
第２特別図柄始動手段２１の開放パターンには、開放時間の短い通常パターン（例えば０．２秒×１回）と開放時間の長い特別パターン（例えば２秒×３回）とがあり、通常確率状態中は通常パターンが、高確率状態中は特別パターンが夫々選択される。
【００３２】
開閉入賞手段２２は変動後の第１特別図柄、第２特別図柄が大当たり態様で停止した場合に発生する大当たり状態中に所定の開放パターンで開閉するもので、この開閉入賞手段２２に遊技球が入賞したときには、他の普通入賞手段２３等への入賞よりも多くの賞球が払い出されるようになっている。この開閉入賞手段２２は上向きに開口する大入賞口４７と、前後方向に出退して大入賞口４７を開閉する開閉板４８とを有する。
【００３３】
なお、開閉入賞手段２２の開閉パターンは、開放後に所定数（例えば１０個）の遊技球が入賞するか、所定時間（例えば３０秒）が経過するかの何れか早い方で閉じる開閉動作を１ラウンドとして、そのラウンド数の違いにより複数の種類があり、大当たりの抽選時にその複数種類の開閉パターンの何れかが抽選される。
【００３４】
普通図柄始動手段１９は遊技球の検出を条件に普通図柄表示手段２４の普通図柄を変動させるためのもので、右打ち通路２９を経て流下する遊技球の通過を検出するようになっている。
【００３５】
ステージ３４は球案内通路３８からの遊技球を左右方向に振り分けて遊技盤１２の前側に落下させるためのもので、図２〜図７に示すように、画像表示手段３３の前下側で前構造体３２Ａの一部に配置されたステージ枠５０と、ステージ枠５０に枢軸４１廻りに揺動自在に支持され且つ枢軸４１廻りに往復揺動して内部を転動する遊技球を左右の落下位置に振り分ける揺動体４２と、この揺動体４２を駆動して枢軸４１廻りに往復揺動させる駆動手段５１とを備えている。
【００３６】
ステージ枠５０は、図２〜図６に示すように、遊技盤１２の装着孔４９の下部に嵌合する前飾り枠５２と、この前飾り枠５２の上部から裏側に突出する支持台５３とを備えている。なお、前飾り枠５２は前構造体３２Ａと一体のユニットを構成して遊技盤１２に装着してもよいし、前構造体３２Ａとは別に遊技盤１２に装着してもよい。支持台５３は左右方向の略中央に配置された第１落下部４３と、この第１落下部４３の左右両側に配置された第２落下部４４とを有し、揺動体４２で振り分けられた遊技球をその各落下部４３，４４から遊技盤１２の前側に落下させるように、前飾り枠５２上に左右方向に配置されている。
【００３７】
第１落下部４３は第１特別図柄始動手段２０に入賞し易い位置に遊技球を落下させるためのもので、第１特別図柄始動手段２０の略真上で支持台５３の前面に開口されると共に、後方に連続する案内路５４を介して支持台５３の上面に開口する球受入れ部５５に連通されている。なお、案内路５４は支持台５３に装着されたレール部材５６を下側に有し、そのレール部材５６上を遊技球が転動するようになっている。球受入れ部５５は前後方向に長い長円状又は楕円状になっている。
【００３８】
第２落下部４４は第１特別図柄始動手段２０に入賞し難い位置に遊技球を落下させるためのもので、第１落下部４３の左右両側で支持台５３上に形成された前後方向の広幅溝状の案内路５７の前端により構成され、案内路５７の後端側が、球受入れ部５４と左右方向に略一列状に並ぶ球受入れ部５８となっている。
【００３９】
揺動体４２は図２〜図７に示すように平面視略矩形状に形成された左右方向に長い皿状であって、枢軸４１廻りの往復揺動により、遊技球を前後及び左右方向に転動させて第１排出口３９、第２排出口４０の何れかに振り分けるように構成されている。この揺動体４２は中央側が曲面状に凹入する底壁部６０と、この底壁部６０を取り囲んで一体に形成された周壁部６１とを備え、その底壁部６０の略中央に障害部６２を介して第１排出口３９が設けられ、この第１排出口３９の左右両側に第２排出口４０が設けられている。第１排出口３９は第１落下部４３に通じる球受入れ部５５上に、第２排出口４０は第２落下部４４に通じる球受入れ部５８上に夫々対応して左右方向に略一列状に配置されている。
【００４０】
底壁部６０の略中央にはその左右及び前後両側よりも上側に盛り上がる膨隆部６３が周方向の全周に形成され、この膨隆部６３の中央に第１排出口３９が設けられている。膨隆部６３はその左右両側、前後両側よりも遊技球が転動し難い障害部６２を構成するものであり、この障害部６２を越えて遊技球が第１排出口３９に入るようになっている。なお、膨隆部６３には左右両側よりも若干高さの低い案内溝６４が前後両側に形成され、この案内溝６４を経て第１排出口３９に遊技球が入るようになっている。
【００４１】
第２排出口４０の外周にも、遊技球の第２排出口４０への移動を困難にする障害部６５が設けられている。障害部６５は第２排出口４０に対して揺動体４２の左右方向の外側に配置された円弧状の突条６５ａと、この突条６５ａを除く内側部分に周方向に配置された複数個の突部６５ｂとにより構成され、揺動体４２上の遊技球が突条６５ａ及び突部６５ｂを越えるか、その間を経て第２排出口４０に入るようになっている。
【００４２】
周壁部６１は前後及び左右に略平行に配置された各側壁６１ａ〜６１ｄと、その周方向に隣り合う側壁６１ａ〜６１ｄを接続する小半径の小湾曲壁６６ａ〜６６ｄとを備え、前側の側壁６１ａと、球案内通路３８とは左右方向の反対側にある側壁６１ｄとの間には、前側の側壁６１ａから側壁６１ｄ側へと移動する遊技球を各排出口３９，４０の裏側へと案内するための緩やかに湾曲する緩湾曲部６７が小湾曲壁６６ａよりも内側に設けられている。
【００４３】
なお、揺動体４２の前後の側壁６１ａ，６１ｂ、左右の側壁６１ｃ，６１ｄは、底壁部６０の湾曲形状に略沿うように円弧状に湾曲している。小湾曲壁６６ａの内側に緩湾曲部６７があるため、小湾曲壁６６ａは省略してもよい。
【００４４】
左右の枢軸４１は左右の側壁６１ｃ，６１ｄの上部側に略水平状に設けられ、支持台５３の左右両端部の軸受部６８により回動自在に支持されている。一方の枢軸４１は一方の軸受部６８に左右方向の内側から挿入し、他方の枢軸４１は他方の軸受部６８上に押え部材６８ａで押えられている。
【００４５】
駆動手段５１は回転軸６９が左右方向に配置された駆動モータ７０により構成され、この駆動モータ７０と揺動体４２との間に、回転軸６９の一方向への回転により揺動体４２を往復揺動させる変換機構７５が設けられている。
【００４６】
変換機構７５は回転軸６９に固定された円板状の駆動体７１と、この駆動体７１に固定された偏心ピン７２と、一方の側壁６１ｄに固定された従動部材７３と、この従動部材７３に形成され且つ偏心ピン７２が摺動自在に係合する摺動溝７４とを備え、支持台５３の左右方向の一端側の箱状の収容部７６内に収容され、また駆動モータ７０は収容部７６の外側面に固定されている。従動部材７３は一方の軸受部６８の前後両側で側壁６１ｄに一体に設けられている。なお、駆動モータ７０、変換機構７５は揺動体４２の上面よりも下側に収まっている。
【００４７】
球案内通路３８は枢軸４１よりも前側にあり、揺動体４２の前部側にその前側の側壁６１ｄに沿って案内するように揺動体４２側へと傾斜している。揺動体４２はその前側の側壁６１ａがステージ枠５０の前面と略同じ位置にあり、枢軸４１廻りに揺動しても前側に大きく突出しないようになっている。
【００４８】
なお、揺動体４２の上側及び前側、ステージ枠５０の前側は共に開放状であり、遊技者は揺動体４２上での遊技球の転動状況、各落下部４３，４４からの遊技球の落下状況を前上方より視認可能であるが、変換機構７５等の上側から揺動体４２の後方側は前構造体３２Ａの表示窓３２ａを構成する窓枠体（図示省略）等によって覆われている。
【００４９】
ゲームに際しては、発射手段の発射ハンドル８を操作して遊技領域１５へと遊技球を発射させる。このとき通常確率状態であれば、遊技者は第１特別図柄始動手段２０に入賞し易い左打ち通路２８に遊技球が集中するように左打ちをする。左打ち通路２８を落下する遊技球が中央役物１８の球誘導口３６に遊技球が入ると、その遊技球は球案内通路３８を経てステージ３４へと案内されて、駆動手段５１の駆動により変換機構７５を介して枢軸４１廻りに往復揺動する揺動体４２上に入る。
【００５０】
揺動体４２上に入った遊技球は、底壁部６０の湾曲形状、揺動体４２の揺動速度等に応じて複雑な挙動を描きながら底壁部６０上を前後及び／又は左右に転動した後、第１排出口３９、第２排出口４０の何れかから排出され、球受入れ部５５，５８を経て対応する第１落下部４３又は第２落下部４４から遊技盤１２の前側へと落下する。
【００５１】
第１落下部４３から落下した遊技球が第１特別図柄始動手段２０に入賞すると、第１特別図柄表示手段２５の第１特別図柄、演出図柄表示手段４６の演出図柄４６ａ〜４６ｃが同期して所定時間変動する。そして、第１特別図柄始動手段２０に遊技球が入賞したときの抽選結果が大当たりであるか否かに応じて、第１特別図柄表示手段２５の変動後の第１特別図柄が大当たり態様又は外れ態様で停止し、演出図柄表示手段４６の演出図柄４６ａ〜４６ｃが大当たり演出態様又は外れ演出態様で停止する。
【００５２】
通常確率状態中でも右打ち通路２９に進入した遊技球が普通図柄始動手段１９に入賞すれば、普通図柄表示手段２４の普通図柄が変動して変動後に当たり態様で停止することもある。しかし、通常確率状態中は第２特別図柄始動手段２１の開放時間が僅かであるため、第２特別図柄始動手段２１に遊技球が入賞する可能性は非常に低い。
【００５３】
第１特別図柄表示手段２５の変動後の第１特別図柄が大当たり態様で停止すれば大当たり状態となり、開閉入賞手段２２が抽選された所定の開閉パターンで所定ラウンド数開閉動作を繰り返すので、遊技者は開閉入賞手段２２に遊技球が入賞し易い右打ち通路２９側に遊技球を集中させるべく右打ちをする。右打ち通路２９に入った遊技球は普通図柄始動手段１９、開閉入賞手段２２、特別図柄始動手段２０，２１等に入賞するか、アウト球口３５側へと流下する。なお、大当たりの場合には、所定の開閉パターンで大入賞口４７が開放し、その開放時に多数の遊技球が入賞するため、遊技者は有利にゲームを行うことができる。
【００５４】
普通図柄始動手段１９が遊技球を検出すると、普通図柄表示手段２４の普通図柄が所定時間変動して当たり図柄又は外れ図柄で停止し、当たり図柄のときには第２特別図柄始動手段２１が所定時間開放し、この第２特別図柄始動手段２１に遊技球が入賞し易くなる。そして、第２特別図柄始動手段２１に遊技球が入賞すると、第２特別図柄表示手段２６の第２特別図柄が所定時間変動し、第１特別図柄表示手段２５の第１特別図柄の場合と同様に動作する。
【００５５】
このようなゲーム中、ステージ３４の揺動体４２は駆動モータ７０の駆動により、変換機構７５を介して枢軸４１廻りに往復揺動する。即ち、駆動モータ７０の回転軸６９が回転すると、駆動体７１の偏心ピン７２が回転軸６９廻りに回転し、従動部材７３の摺動溝７４内を摺動する。このため従動部材７３が偏心ピン７２の回転速度に同期した揺動速度で枢軸４１廻りに前後方向に往復揺動し、これと一体に揺動体４２が往復揺動する。
【００５６】
このように枢軸４１廻りに往復揺動中の揺動体４２上に球案内通路３８から遊技球が案内されて行くと、そのときの揺動体４２の揺動状況に応じて揺動体４２上の遊技球が左右方向及び前後方向に複雑な挙動を描きながら第１排出口３９、第２排出口４０へと案内されて行くので、遊技球の落下位置を左右方向に振り分けることができる。このため遊技者の注意を惹きつけるに必要な間持ちを確保でき、遊技者の興趣を喚起することができる。また揺動体４２の揺動速度の調整により、遊技球の振り分け率を適宜調整することが可能である。
【００５７】
仮に図８（Ａ）に示すように揺動体４２が水平状態から支軸４１廻りに前部側が前上がりにａ矢示方向に上昇する上昇過程にあるときに、その揺動体４２の底壁部６０上に遊技球が供給された場合には、その遊技球は底壁部６０が前上がり状態に傾斜するため、遊技球は右方向へと移動しながら低い後側へと移動する。例えば、揺動体４２の前部側の高さが低ければ、その遊技球は底壁部６０の傾斜に沿って図８（Ｂ）のｂ矢示方向に転動し、また揺動体４２の前部側の高さが高くなるに伴って底壁部６０の勾配が大になるため、ｃ矢示、ｄ矢示に夫々示すように右方向への移動量が短くなりながら後側へと転動する。
【００５８】
そして、その遊技球が第１排出口３９、第２排出口４０の何れかに直接入ることもある。第１排出口３９、第２排出口４０の周辺を通過して何れにも入らなかった遊技球は、一旦底壁部６０に沿って後方へと移動して左右方向に中央側に集まる等した後、揺動体４２が逆方向へと揺動するに連れて底壁部６０上を前側へと転動する。このような動作を１回又は数回繰り返す間に遊技球が第１排出口３９、第２排出口４０の何れかに振り分けられて行く。
【００５９】
また図９（Ａ）に示すように揺動体４２の前部側が水平状態から支軸４１廻りにｅ矢示方向に下降する下降過程にあるときに、その揺動体４２の底壁部６０上に遊技球が供給された場合には、遊技球が底壁部６０の前側の側壁６１ａに沿って移動する間にも、底壁部６０が実線で示す状態から一点鎖線で示す状態を経て、二点鎖線で示す状態へと順次前下がりに下降するため、その遊技球は図９（Ｂ）に示すように前側の側壁６１ａに沿って下り方向の傾斜路を転がり落ちるように右方向（ｆ矢示方向）へと転動する。そして、遊技球が緩湾曲部６７に達するまで又はその前後に揺動体４２が前上がりの上昇過程に移行すると、その遊技球は揺動体４２の上昇に伴い前側から後側へと緩湾曲部６７に沿ってｇ矢示方向に転動することがある。
【００６０】
続いて揺動体４２の後部側が下降すれば、それに伴って遊技球は後側の側壁６１ｂに沿って左方向へとｈ矢示〜ｋ矢示のように転動して第１排出口３９、第２排出口４０の後側へと回り込んだ後、揺動体４２の往復揺動に従って底壁部６０上を前後、左右方向に複雑に転動しながら第１排出口３９、第２排出口４０の何れかに振り分けられて行く。
【００６１】
従って、底壁部６０と周壁部６１とを備えた揺動体４２を左右方向の枢軸４１廻りに往復揺動させるだけで、揺動体４２上の遊技球を前後、左右方向に複雑に転動させながら第１排出口３９、第２排出口４０の何れかに振り分けることができる上に、揺動体４２の揺動により、揺動体４２の前部側に供給された遊技球を第１排出口３９、第２排出口４０の後側へと案内できるので、揺動体４２上で遊技球が複雑に転動することとなり、遊技者の興趣をより喚起できる。
【００６２】
また揺動体４２の底壁部６０は球面状に凹入する凹入形状であるが、その略中央には膨隆部６３により構成された障害部６２があり、その障害部６２の略中央に第１排出口３９が形成されているので、底壁部６０の略中央に第１排出口３９があるにも拘わらず、底壁部６０上を転動する遊技球が障害部６２を越えて第１排出口３９に集中する等の問題も生じない。障害部６２には第１排出口３９の前後に案内溝６４があるため、遊技球が障害部６２の前後に位置し、それに同期して揺動体４２が枢軸４１廻りに遊技球の案内方向に揺動したときに、その案内溝６４を経て遊技球が第１排出口３９に入ることとなり、揺動体４２の揺動を積極的に利用して遊技球を第１排出口３９へと案内できる。
【００６３】
また左右の第２排出口４０の周囲の障害部６５には、揺動体４２の左右方向の外側に突条６５ａがあり、内側に第２排出口４０の周方向に複数個の突部６５ｂがあり、これらの突条６５ａ、突部６５ｂを通過した遊技球が第２排出口４０へと入る。このため第１排出口３９の周辺の障害部６２と相俟って、揺動体４２の底壁部６０上の遊技球は障害部６２、突条６５ａ、突部６５ｂにより阻止されながら第１排出口３９、第２排出口４０に入ることとなり、遊技球が単純な軌跡で転動して直接第１排出口３９、第２排出口４０に入ることが少なくなって、遊技者の興趣を喚起するに十分な間持ち時間を確保できる。
【００６４】
また左右方向に長い皿状の揺動体４２をその前後方向の略中央の枢軸４１により揺動自在に支持し、駆動手段５１により変換機構７５を介して揺動体４２を往復揺動させる構成であるため、構造的にも簡単であるだけでなく、画像表示手段３３の前側の前後幅の狭いステージ３４にも揺動体４２を容易に配置できる利点がある。しかも左右方向に長い揺動体４２が前後方向の略中央の枢軸４１廻りに揺動するので、揺動時の揺動体４２の動き量を小さくすることができる。
【００６５】
図１０、図１１は本発明の第２の実施形態を例示する。この実施形態では、揺動体４２を揺動自在に枢支する左右方向の枢軸４１は、揺動体４２の前後方向の一端側、例えば後部側に配置され、球案内通路３８、駆動手段５１、変換機構７５が揺動体４２の前部側に配置されている。変換機構７５は偏心ピン７２付きの駆動体７１、摺動溝７４付きの従動部材７３等を備えている。従動部材７３は揺動体４２に固定され、摺動溝７４が前後方向に設けられている。他の構成は第１の実施形態と同様である。
【００６６】
この場合にも揺動体４２は、駆動手段５１の駆動により枢軸４１廻りに往復揺動する。従って、揺動体４２は前後方向の略中央で枢軸４１により枢支する他、前部側又は後部側で枢支することも可能である。また往復揺動時に揺動体４２の前部が上下動してその動き量が大となるため、周壁部６１の前側に沿って移動する遊技球を緩湾曲部６７を経て裏側へと案内し易くなる。
【００６７】
更に球案内通路３８の先端と揺動体４２の底壁部６０との高低差が大きく変化するため、その高低差によって揺動体４２の底壁部６０上での遊技球の転動状況を変化させることができる。なお、これは枢軸４１と球案内通路３８とが前後方向の反対側にあり、球案内通路３８と同じ側に揺動体４２の緩湾曲部６７があればよい。
【００６８】
図１２、図１３は本発明の第３の実施形態を例示する。この実施形態では、揺動体４２の球案内通路３８とは反対側の前後両側に緩やかに湾曲する緩湾曲部６７ａ，６７ｂが設けられており、揺動体４２の前側の側壁６１ａに沿って転動する遊技球が前後の緩湾曲部６７ａ，６７ｂを経て第１排出口３９、第２排出口４０の後側へと回り込み易くしたものである。なお、緩湾曲部６７ａ，６７ｂは前後に略対称になっている。他の構成は第１の実施形態と同様である。
【００６９】
このように構成しておけば、例えば球案内通路３８から揺動体４２の底壁部６０上に供給された遊技球が第１の実施形態と同様に前側の側壁６１ａに沿って右側へと移動した場合に、揺動体４２の前側が水平状態まで上昇する間にその遊技球は緩湾曲部６７ａを図１２のｌ矢示方向に通過する。そして、揺動体４２の後部側が順次下降する下降過程に入れば、その遊技球は緩湾曲部６７ｂに沿って加速しながら後方へとｍ矢示方向に転動して第１排出口３９、第２排出口４０の後側へと回り込み易くなる。このため揺動体４２上での遊技球の動きを更に複雑にすることができる。
【００７０】
図１４、図１５は本発明の第４の実施形態を例示する。この実施形態の揺動体４２は、底壁部６０の前後両側に、左右方向の中央側が緩やかな円弧状に凹入する凹部６０ａ，６０ｂが設けられ、その前後の凹部６０ａ，６０ｂ間に、左右及び前後方向の中央側が緩やかな円弧状に凸出する凸部６０ｃが設けられている。凸部６０ｃにはその略中央に第１排出口３９が設けられ、この第１排出口３９の左右両側に第２排出口４０が設けられている。他の構成は第１の実施形態と同様である。
【００７１】
この場合には、揺動体４２の往復揺動により、その前部側、後部側が上下に昇降する。そして前部又は後部の凹部６０ａ，６０ｂが中央の凸部６０ｃよりも低い状態のときには、遊技球は前後の凹部６０ａ，６０ｂ内で遊技球が左右方向に転動し、また前部側又は後部側が上昇すれば、その遊技球が凸部６０ｃ又は凸部６０ｃの左右両側を経て反対側へと前後方向に移動する。
【００７２】
この場合にも揺動体４２の往復揺動により、遊技球を第１排出口３９、第２排出口４０の何れかに振り分けることが可能である。従って、揺動体４２の底壁部６０は、揺動体４２の往復揺動により、遊技球が前後、左右に転動可能な形状であればよく、必ずしも前後方向、左右方向の両方向に凹入する形状である必要はない。
【００７３】
図１６、図１７は本発明の第５の実施形態を例示する。この実施形態では、揺動体４２は下皿８０と、この下皿８０の上側を塞ぐ透明なカバー８１とを備え、カバー８１の一端側に、球案内通路３８からの遊技球が入る球入口部８２が設けられている。下皿８０は底壁部６０と周壁部６１とを有する。なお、球案内通路３８の先端は球入口部８２の開口部８２ａ内に嵌合してもよいし、開口部８２ａから後退した位置に配置してもよい。カバー８１は下皿８０内の遊技球を視認可能であれば、透明以外でもよい。他の構成は第１の実施形態と同様である。
【００７４】
この揺動体４２は下皿８０の上側をカバー８１で閉鎖して中空状になっている。この場合にも、揺動体４２の下皿８０上に入った遊技球は、揺動体４２の往復揺動により、第１の実施形態と同様に第１排出口３９、第２排出口４０の何れかに振り分けることができる。従って、揺動体４２は上側が開放する皿状の他、上側が閉鎖された中空状でもよい。
【００７５】
図１８、図１９は本発明の第６の実施形態を例示する。この実施形態では、揺動体４２は左右方向に長い皿状であり、この揺動体４２の左右方向の略中央に枢軸４１が前後方向に設けられ、その枢軸４１を介して揺動体４２がステージ枠５０上に揺動自在に支持されている。揺動体４２の球案内通路３８と反対側には、変換機構７５を介して揺動体４２を枢軸４１廻りに往復揺動させる駆動手段５１が設けられている。駆動手段５１は駆動モータ７０により構成され、変換機構７５は第１の実施形態と同様に駆動体７１、偏心ピン７２、従動部材７３を有し、その従動部材７３には摺動溝７４が前後方向に設けられている。他の構成は第１の実施形態と同様である。
【００７６】
揺動体４２を枢軸４１廻りに往復揺動させて遊技球を第１排出口３９、第２排出口４０の何れかに振り分ける場合に、この実施形態に例示のように揺動体４２の前後方向の枢軸４１により揺動自在に支持してもよい。なお、駆動手段５１、変換機構７５は球案内通路３８の下側に配置してもよい。
【００７７】
図２０は本発明の第７の実施形態を例示する。この実施形態では、揺動体４２は球案内通路３８と同じ左右方向の一端側に配置された前後方向の枢軸４１により揺動自在に支持され、この枢軸４１と反対側に駆動手段５１、変換機構７５が設けられている。
【００７８】
この場合には揺動体４２の他端側の駆動手段５１により駆動して、揺動体４２を一端側の枢軸４１廻りに揺動させるので、揺動体４２の揺動時における球案内通路３８側の動き量が小さくなり、球案内通路３８からの揺動体４２に対する遊技球の供給が安定する。このように枢軸４１を設ける場合、揺動体４２の端部側に配置してもよい。なお、枢軸４１が左右方向の場合にも同様であり、揺動体４２の前端側、後端側の何れに配置してもよい。
【００７９】
図２１は本発明の第８の実施形態を例示する。図２１（Ａ）の揺動体４２は左右方向に長い長円状に構成され、図２１（Ｂ）の揺動体４２は略円形状に構成されている。球案内通路３８は遊技球を揺動体４２の前側に沿って供給するように、先端側が揺動体４２の周壁部６１に沿って配置されている。
【００８０】
このように揺動体４２は、画像表示手段３３の前側に確保し得るステージ３４の前後幅に応じて長円状、円形状等の形状にしてもよい。また画像表示手段３３の前側にステージ３４があり、そのステージ３４上に上方から遊技球が落下することはないので、揺動体４２は、ガラス板と干渉しない範囲内で、その前側の一部が遊技盤１２の前面から前側に突出するように配置してもよい。
【００８１】
以上、本発明の各実施形態について詳述したが、本発明はこの各実施形態に限定されるものではなく、本発明の趣旨を逸脱しない範囲で種々の変更が可能である。例えば揺動体４２を横長状にすれば、画像表示手段３３の前下側の前後幅が狭い場合でも、画像表示手段３３の前側のステージ３４に揺動体４２を十分に配置できるが、揺動体４２は必ずしも横長状である必要はない。また揺動体４２を枢支する枢軸４１は左右方向、前後方向でもよいし、枢軸４１の位置は揺動体４２の前後又は左右方向の中央部、一端部等の何れでもよい。
【００８２】
揺動体４２は球案内通路３８からの遊技球が前後、左右方向に転動できる形状であれば十分である。球案内通路３８は揺動体４２の前部側に対応して設ける他、後部側に対応して設けてもよい。また球案内通路３８はその先端から揺動体４２の中央部に遊技球を落下させるようにしてもよい。
【００８３】
揺動体４２の第１排出口３９、第２排出口４０は丸孔でもよいし、多角形孔でもよい。また第１排出口３９、第２排出口４０の位置、数、大きさ等は、遊技球の振り分け率に応じて適宜変更してもよい。
【００８４】
揺動体４２はパチンコ機の稼働中、常時揺動するようにしてもよいし、遊技者が発射ハンドル８を保持する等、遊技状態にあるときに揺動させるようにしてもよい。球誘導口３６の遊技球の通過を検出する検出手段を設け、この検出手段が遊技球を検出したときに揺動体４２が揺動するようにしてもよい。また揺動と停止とを繰り返し、また早い速度での揺動と遅い速度での揺動とを繰り返す等、揺動体４２の揺動状況を間欠的に制御するようにしてもよい。
【００８５】
また実施形態ではステージ３４の下方に第１特別図柄始動手段２０を配置して、第１落下部４３から落下する遊技球は第１特別図柄始動手段２０に入賞し易くし、第２落下部４４から落下する遊技球は第１特別図柄始動手段２０に入賞し難くしているが、ステージ３４の下方に第１特別図柄始動手段２０以外の入賞手段を配置してもよいし、入賞手段以外のもの、例えば遊技球が入って通過する入球手段を設けてもよい。従って、ステージ３４の下方には入賞手段を含む入球手段があれば十分であり、第１落下部４３と第２落下部４４とで入球手段に遊技球が入球し易い状態と入球し難い状態とが得られる構成であれば同様に実施可能である。
【００８６】
球案内通路３８に球誘導口３６に代えて、開閉羽根等の開閉部材により開閉される入賞口を設け、ステージ３４の下方に特定領域用の入球手段を設けておき、入賞口から入賞した遊技球を球案内通路３８を経て揺動体４２へと案内し、その揺動体４２の回転により排出口３９，４０を経て第１落下部４３、第２落下部４４の何れかに振り分けて、第１落下部４３から落下する遊技球が特定領域用の入球手段に入球したときに、遊技者に有利な利益状態が発生するようにしてもよい。
【００８７】
また揺動体４２の揺動時にその周壁部６１の一部で球案内通路３８の出口側を開閉するようにしてもよい。例えば、揺動体４２の前部が中間高さ（上下方向の略中央等）よりも上の上昇位置にあるときには、周壁部６１の側壁等により球案内通路３８の出口を閉じる等によって遊技球の移動を規制しておき、揺動体４２の前部が中間高さよりも下に下降したときに、球案内通路３８の出口を開放して遊技球を揺動体４２上に受け入れようにしてもよい。球案内通路３８は上側が開放したものでもよい。
【００８８】
その他、右打ち、左打ちタイプ以外のパチンコ機でも同様に実施できる。更に本発明はパチンコ機の他、アレンジボール機、その他の各種の弾球遊技機においても同様に実施可能であることは云うまでもない。
【符号の説明】
【００８９】
１２  遊技盤
１５  遊技領域
１８  中央役物
２０  第１特別図柄始動手段（入球手段）
２１  第２特別図柄始動手段
３２Ａ  前構造体
３３  画像表示手段
３４  ステージ
３８  球案内通路
３９  第１排出口
４０  第２排出口
４１  枢軸
４２  揺動体
４３  第１落下部
４４  第２落下部
５１  駆動手段
６０  底壁部
６１  周壁部
６３  隆起部
６４  案内溝
６５  障害部
６７，６７ａ，６７ｂ  湾曲部
【図１】
2012040346.tif 000003
【図２】
2012040346.tif 000004
【図３】
2012040346.tif 000005
【図４】
2012040346.tif 000006
【図５】
2012040346.tif 000007
【図６】
2012040346.tif 000008
【図７】
2012040346.tif 000009
【図８】
2012040346.tif 000010
【図９】
2012040346.tif 000011
【図１０】
2012040346.tif 000012
【図１１】
2012040346.tif 000013
【図１２】
2012040346.tif 000014
【図１３】
2012040346.tif 000015
【図１４】
2012040346.tif 000016
【図１５】
2012040346.tif 000017
【図１６】
2012040346.tif 000018
【図１７】
2012040346.tif 000019
【図１８】
2012040346.tif 000020
【図１９】
2012040346.tif 000021
【図２０】
2012040346.tif 000022
【図２１】
2012040346.tif 000023